(57)【特許請求の範囲】
【請求項１】
複数の紙幣出金口と、
前記複数の紙幣出金口の各々を開閉するための出金口シャッタと、
前記複数の紙幣出金口の各々に設けられた、紙幣の有無を検出する光学センサと、
各光学センサの汚れに関する情報を前記紙幣出金口ごとに示す選択画面を生成し、前記選択画面において選択された紙幣出金口に対応する出金口シャッタを開く制御を行う制御部と、
を備える、現金処理装置。
【請求項２】
前記制御部は、いずれかの前記光学センサかの汚れの程度が第１の程度を上回った場合、警告通知を制御する、請求項１に記載の現金処理装置。
【請求項３】
前記制御部は、前記光学センサのいずれかの汚れの程度が前記第１の程度より高い第２の程度を上回った場合、前記現金処理装置を障害状態に遷移させる、請求項２に記載の現金処理装置。
【請求項４】
１つの紙幣出金口に複数の前記光学センサが設けられ、
前記制御部は、前記選択画面において選択された紙幣出金口に設けられた複数の光学センサの各々の汚れに関する情報を示す汚れ表示画面を生成する、請求項１〜３のいずれか一項に記載の現金処理装置。
【請求項５】
前記汚れ表示画面は第１のボタンを含み、
前記制御部は、前記第１のボタンが選択されると、前記複数の光学センサの各々の汚れに関する情報の表示を更新する、請求項４に記載の現金処理装置。
【請求項６】
前記汚れ表示画面は第２のボタンを含み、
前記制御部は、前記第２のボタンが選択されると、前記出金口シャッタを閉じる制御を行い、前記選択画面を生成する、請求項４または５に記載の現金処理装置。
【請求項７】
前記汚れに関する情報は、汚れの程度を示す情報であり、
前記制御部は、前記選択画面において前記複数の紙幣出金口の各々に前記光学センサの汚れの程度に応じた色を付す、請求項１〜６のいずれか一項に記載の現金処理装置。
【請求項８】
前記汚れに関する情報は、汚れの程度を示す情報であり、
前記制御部は、前記汚れ表示画面において前記複数の光学センサの各々に各光学センサの汚れの程度に応じた色を付す、請求項４〜６のいずれか一項に記載の現金処理装置。
【請求項９】
前記光学センサは、汚れが増すにつれて発光量を増加させ、
前記光学センサの汚れの程度は、前記光学センサの発光量により示される、請求項２または３に記載の現金処理装置。
【発明の詳細な説明】
【技術分野】
【０００１】
本発明は、現金処理装置に関する。
【背景技術】
【０００２】
金融機関の営業店カウンタ等に、窓口用現金処理機に代表される現金処理装置が設置されている。現金処理装置は、紙幣や硬貨の入金処理や出金処理等に利用される。職員は、例えば、現金処理装置の操作部、又は現金処理装置に接続された受付端末から操作を行い、出金処理を行うことができる。
【０００３】
上記のような現金処理装置には、例えば下記特許文献１に記載されているように、紙幣や硬貨などの有無を検知する複数の光学センサが設けられる。
【先行技術文献】
【特許文献】
【０００４】
【特許文献１】特開２００８−３９９７号公報
【発明の概要】
【発明が解決しようとする課題】
【０００５】
しかし、光学センサは、紙幣の紙粉などによる汚れが付きやすい。この汚れの程度が閾値を上回ると、現金処理装置は障害状態となり、保守員による清掃が行われるまで現金処理装置は使用不可の状態となっていた。特に、紙幣出金口は紙幣の搬送経路の末端であるため、紙幣出金口の光学センサには紙粉による汚れが付きやすい。連続的な出金処理を実現するために現金処理装置に２つの紙幣出金口を設けることも考えられるが、当該現金処理装置においては上記紙幣出金口の光学センサの汚れの問題がより顕著になる。
【０００６】
そこで、本発明は、上記問題に鑑みてなされたものであり、本発明の目的とするところは、２つの紙幣出金口を有する現金処理装置であって、紙幣出金口の光学センサの汚れの効率的な清掃に資することが可能な、新規かつ改良された現金処理装置を提供することにある。
【課題を解決するための手段】
【０００７】
上記課題を解決するために、本発明のある観点によれば、複数の紙幣出金口と、前記複数の紙幣出金口の各々を開閉するための出金口シャッタと、前記複数の紙幣出金口の各々に設けられた、紙幣の有無を検出する光学センサと、各光学センサの汚れに関する情報を前記紙幣出金口ごとに示す選択画面を生成し、前記選択画面において選択された紙幣出金口に対応する出金口シャッタを開く制御を行う制御部と、を備える、現金処理装置が提供される。
【０００８】
前記制御部は、いずれかの前記光学センサかの汚れの程度が第１の程度を上回った場合、警告通知を制御してもよい。
【０００９】
前記制御部は、前記光学センサのいずれかの汚れの程度が前記第１の程度より高い第２の程度を上回った場合、前記現金処理装置を障害状態に遷移させてもよい。
【００１０】
１つの紙幣出金口に複数の前記光学センサが設けられ、前記制御部は、前記選択画面において選択された紙幣出金口に設けられた複数の光学センサの各々の汚れに関する情報を示す汚れ表示画面を生成してもよい。
【００１１】
前記汚れ表示画面は第１のボタンを含み、前記制御部は、前記第１のボタンが選択されると、前記複数の光学センサの各々の汚れに関する情報の表示を更新してもよい。
【００１２】
前記汚れ表示画面は第２のボタンを含み、前記制御部は、前記第２のボタンが選択されると、前記出金口シャッタを閉じる制御を行い、前記選択画面を生成してもよい。
【００１３】
前記汚れに関する情報は、汚れの程度を示す情報であり、前記制御部は、前記選択画面において前記複数の紙幣出金口の各々に前記光学センサの汚れの程度に応じた色を付してもよい。
【００１４】
前記汚れに関する情報は、汚れの程度を示す情報であり、前記制御部は、前記汚れ表示画面において前記複数の光学センサの各々に各光学センサの汚れの程度に応じた色を付してもよい。
【００１５】
前記光学センサは、汚れが増すにつれて発光量を増加させ、前記光学センサの汚れの程度は、前記光学センサの発光量により示されてもよい。
【発明の効果】
【００１６】
以上説明したように本発明によれば、２つの紙幣出金口を有する現金処理装置において、紙幣出金口の光学センサの汚れの効率的な清掃に資することが可能である。
【図面の簡単な説明】
【００１７】
【図１】本発明の実施形態に係る紙幣処理装置の内部構成例を示す図である。
【図２】出金口１４の断面を模式的に示した説明図である。
【図３】本発明の実施形態による紙幣処理装置の構成を示す説明図である。
【図４】光学センサＳの発光電流量の制御を示す説明図である。
【図５】メニュー画面の具体例を示す説明図である。
【図６】出金口選択画面の具体例を示す説明図である。
【図７】清掃用画面の具体例を示す説明図である。
【図８】清掃用画面の具体例を示す説明図である。
【図９】出金口選択画面の具体例を示す説明図である。
【図１０】障害通知画面の具体例を示す説明図である。
【図１１】出金口選択画面の具体例を示す説明図である。
【図１２】清掃用画面の具体例を示す説明図である。
【図１３】本発明の実施形態による紙幣処理装置の動作を示すフローチャートである。
【図１４】本発明の実施形態による紙幣処理装置の動作を示すフローチャートである。
【発明を実施するための形態】
【００１８】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１９】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２０】
＜＜１．紙幣処理装置の概要＞＞
＜１−１．紙幣処理装置の内部構成例＞
まず、図１を参照しながら、現金処理装置の一例である、本発明の実施形態による紙幣処理装置１０の内部構成例を説明する。
【００２１】
図１は、本発明の実施形態に係る紙幣処理装置１０の内部構成例を示す図である。紙幣処理装置１０は、金融機関の営業店等に設置されている。紙幣処理装置１０は、装置の操作者である金融機関の受付窓口員等の職員による操作に基づいて、紙幣の取引を行う職員操作型端末である。
【００２２】
紙幣処理装置１０は、図１に示すように、入金口１２と、複数の出金口１４および１４Ｂと、紙幣認識部２０と、一時保留部２２と、搬送部２４と、紙幣カセット３０Ａ〜３０Ｄと、リジェクト庫付き紙幣カセット３５と、表示部４０とを有する。
【００２３】
入金口１２は、職員が紙幣を投入するための紙幣の投入口である。また、入金口１２は、束で投入された紙幣を一枚ずつ分離して繰り出す分離機能を有する。なお、入金口１２には、入金口シャッタが設けられており、入金口シャッタが開いている間に職員は紙幣を入金口１２に投入することができる。
【００２４】
出金口１４は、職員が受け取る紙幣が排出（出金）される紙幣出金口である。出金口１４は、排出する紙幣を集積する集積機能を有する。出金口１４は、一例として、紙幣を１００枚（最大集積枚数）集積できる容量を有する。図１には、複数の出金口の一例として２つの出金口１４Ａおよび１４Ｂを示しているが、紙幣処理装置１０は、より多くの出金口を有してもよい。また、各出金口１４には、開口を開閉する出金口シャッタ１６が設けられる。この出金口シャッタ１６について、図２を参照して説明する。
【００２５】
図２は、出金口１４の断面を模式的に示した説明図である。図２の左列は出金口１４が出金口シャッタ１６により開かれている状態を示し、図２の右列は出金口１４が出金口シャッタ１６により閉じられている状態を示す。図２に示したように、出金口シャッタ１６は、出金口１４の開口上を往復移動することにより、出金口１４を開閉することが可能である。なお、図２では、出金口シャッタ１６の一例として平面状のシャッタを示しているが、出金口シャッタ１６は曲面状のシャッタであってもよい。
【００２６】
また、出金口１４には、図２に示したように光学センサＳの対が設けられる。光学センサＳの対は、発光機能を有する発光部および受光機能を有する受光部の対からなる。発光部が発光している間に受光部により光が検出されているか否かに基づき、出金口１４に紙幣が集積されているか否かを判断することが可能である。なお、図２には出金口１４に１対の光学センサＳが設けられる例を示しているが、出金口１４には複数対の光学センサＳが設けられてもよい。また、光学センサＳは出金口１４以外の位置にも複数設けられ、光学センサＳは、各位置における紙幣の有無または紙幣の通過などを検出する。
【００２７】
紙幣認識部２０は、紙幣認識部２０を通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送部２４を通って搬送された紙幣の金種、真偽（真券／偽券）、正損（正券／損券）および走行状態（正常／異常）などを鑑別し、通過する紙幣に対して、正常判定またはリジェクト判定を行う。
【００２８】
ここで、本明細書において真券とは紙幣であると鑑別されたものをいい、偽券とは紙幣であると鑑別されなかったものをいう。また、正券とは真券であると鑑別された紙幣のうち入金／出金に適すると鑑別されたものをいい、損券とは真券であると鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００２９】
一時保留部２２は、紙幣の分離と集積の両方の機能を有する。例えば、一時保留部２２は、入金処理時に入金口１２から分離されて紙幣認識部２０により正常と鑑別された紙幣を一時的に集積（収納）する。一時保留部２２に集積された紙幣は、入金された紙幣の口座計上などが確定したなど、取引が成立した場合に繰り出され、紙幣認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００３０】
搬送部２４は、搬送路、紙幣を搬送する搬送ローラ、および搬送ローラを駆動する駆動機構を含み、紙幣を搬送する。駆動機構は、例えばＤＣサーボモータまたはパルスモータなどが回転することにより、搬送ローラを駆動する。搬送部２４は、後述する制御部により制御され、紙幣を目的の搬送先に搬送する。
【００３１】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、紙幣処理装置１０に対して着脱可能な構造になっており、装着されている紙幣カセット３０を紙幣処理装置１０から取り外し、十分な量の紙幣を収納する紙幣カセット３０を紙幣処理装置１０に装着することにより、紙幣処理装置１０に紙幣を装填することも可能である。
【００３２】
リジェクト庫付き紙幣カセット３５（以下、紙幣カセット３５とも称す）は、紙幣処理装置１０に対して着脱可能な構造になっており、装着されている紙幣カセット３５を他の紙幣カセット３５と交換することにより、紙幣の回収および補充が可能である。また、紙幣カセット３５は、上側に紙幣収納庫３６、下側（底部）にリジェクト庫３７を備える。
【００３３】
紙幣収納庫３６は、紙幣を集積する集積機能および１枚ずつ繰り出す分離機能を有する。また、紙幣収納庫３６は、カセット計数回収時に各紙幣カセット３０Ａ〜３０Ｄから分離された紙幣を集積し、紙幣を回収することができる。また、紙幣収納庫３６は、カセット計数補充時に、紙幣収納庫３６内に集積している紙幣を繰り出し、紙幣カセット３０Ａ〜３０Ｄに紙幣を補充することができる。
【００３４】
リジェクト庫３７は、紙幣を集積する集積機能のみ有する。リジェクト庫３７は、紙幣認識部２０によって異常と鑑別（リジェクト判定）された紙幣（リジェクト紙幣）を集積するための紙幣収納部である。
【００３５】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３６】
また、紙幣処理装置１０は、職員が操作可能な操作部（不図示）を有する。紙幣処理装置１０は、職員が操作部を操作することにより、入金や出金の取引に対応する入金処理や出金処理等を行う。なお、紙幣処理装置１０は、操作部の代わりに、紙幣処理装置１０に接続された受付端末における職員の操作に基づいて、処理を行なってもよい。また、操作部としての機能は、表示部４０の機能と共に、タッチパネルディスプレイにより実現されてもよい。
【００３７】
＜１−２．紙幣処理装置の基本処理＞
以上、図１および図２を参照して、本発明の実施形態による紙幣処理装置１０の内部構成例を説明した。続いて、上述した紙幣処理装置１０が基本処理として実行する、入金処理、出金処理、補充処理および回収処理について説明する。
【００３８】
（入金処理）
入金処理は、入金口１２の紙幣を紙幣処理装置１０の内部に集積する処理であり、計数処理と収納処理に大別される。計数処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、計数され、一時保留部２２へ搬送されて集積される。その後、入金金額が確定すると、収納処理に移行する。
【００３９】
一方で、紙幣認識部２０による鑑別結果が異常であった紙幣（リジェクト紙幣）は、出金口１４に集積される。出金口１４に集積された紙幣は、職員により入金口１２に再投入されることで、紙幣認識部２０による再鑑別が可能である。
【００４０】
収納処理においては、まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、紙幣認識部２０による鑑別結果が異常であった紙幣は、紙幣カセット３５のリジェクト庫３７に集積される。
【００４１】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣が出金口１４へ搬送される。
【００４２】
（出金処理）
出金処理は、紙幣カセット３０Ａ〜３０Ｄの紙幣を出金口１４に集積する処理である。出金処理においては、まず、指定された金額に応じて紙幣カセット３０Ａ〜３０Ｄから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、出金口１４に集積される。具体的には、例えば出金する正常紙幣の金種や枚数に応じて、出金口１４に集積（集金）される。一方で、鑑別結果が異常であった紙幣、すなわち、顧客に支払いできない紙幣は、紙幣カセット３５のリジェクト庫３７に集積される。
【００４３】
（補充処理）
補充処理は、紙幣処理装置１０に紙幣を補充する処理である。紙幣処理装置１０においては、具体的な補充方法として、入金口補充、カセット交換補充、およびカセット計数補充が可能である。以下、各補充方法について説明する。
【００４４】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｄに集積される。一方で、鑑別結果が異常であった紙幣は、出金口１４に集積される。
【００４５】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００４６】
カセット計数補充においては、まず、紙幣カセット３５の紙幣収納庫３６に予め紙幣を装填し、紙幣処理装置１０にセットする。次に、紙幣収納庫３６から繰り出され、紙幣認識部２０による鑑別結果が正常であった紙幣は、金種に対応する紙幣カセット３０Ａ〜３０Ｄに集積される。一方で、鑑別結果が異常であった紙幣は、リジェクト庫３７に集積される。なお、カセット計数補充では、紙幣認識部２０により計数処理が実行されるので、補充した紙幣の金種および枚数をオペレータがマニュアルで登録する必要はない。
【００４７】
（回収処理）
回収処理は、紙幣処理装置１０内の紙幣を回収する処理である。紙幣処理装置１０においては、具体的な回収方法として、出金口回収、カセット交換回収、およびカセット計数回収が可能である。以下、各回収方法について説明する。
【００４８】
出金口回収は、上述した出金処理における動作と同様である。例えば、回収対象の紙幣カセット３０Ａ〜３０Ｄから繰り出され、紙幣認識部２０による鑑別結果が正常であった紙幣は、出金口１４に集積される。一方で、鑑別結果が異常であった紙幣は、リジェクト庫３７に集積される。そして、回収対象の紙幣カセット３０Ａ〜３０Ｄに集積された全紙幣に対して行い、職員は、出金口１４から、正常判定された紙幣を回収することができる。また、職員は、リジェクト庫３７から異常判定された紙幣を回収することができる。
【００４９】
カセット交換回収は、紙幣カセット３０Ａ〜３０Ｄのうちの所定の紙幣カセットを紙幣処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００５０】
カセット計数回収においては、紙幣カセット３０Ａ〜３０Ｄのうち回収対象の紙幣カセットから繰り出され、紙幣認識部２０による鑑別結果が正常であった紙幣は、紙幣カセット３５の紙幣収納庫３６に集積される。一方で、鑑別結果が異常であった紙幣は、リジェクト庫３７に集積される。その後、職員が紙幣カセット３５のみを紙幣処理装置１０から取り外すことで、正常判定された紙幣および異常判定された紙幣を回収することができる。また、カセット計数回収では、紙幣認識部２０により計数処理が実行されるので、回収した紙幣の金種および枚数をオペレータがマニュアルで数える必要はない。
【００５１】
＜１−３．本発明の実施形態の背景＞
上記のように、紙幣処理装置１０には、紙幣の有無または通過などを検出するために複数の光学センサＳが設けられる。この光学センサＳに紙幣の紙粉などによる汚れが付くと、紙幣により遮光されていないにもかかわらず遮光状態が検出されることがある。このため、汚れの増加に伴い発光量を増やすことにより、偽遮光を回避する方法がある。
【００５２】
しかし、上記の方法は、一定レベルまでの汚れには有効であるが、一定レベルを超えた汚れには有効でなく、汚れが限度を超えると、保守員による清掃が行われるまで紙幣処理装置１０は使用不可の障害状態となってしまう。紙幣処理装置１０が障害状態となる前に定期保守を行うことも考えられるが、紙幣処理装置１０の使用頻度によっては定期保守前に汚れが限度を超える恐れがある。
【００５３】
特に、出金口１４は紙幣の搬送経路の末端であるため、出金口１４の光学センサＳには紙粉による汚れが付きやすい。本実施形態のように２つの出金口１４を有する紙幣処理装置１０においては、上記出金口１４の光学センサの汚れの問題がより重要となる。
【００５４】
そこで、本件発明者は、上記事情を一着眼点にして本発明の実施形態による紙幣処理装置１０を創作するに至った。本発明の実施形態による紙幣処理装置１０は、出金口１４の光学センサＳの汚れの効率的な清掃に資することが可能である。以下、このような本発明の実施形態による紙幣処理装置１０の構成および動作について順次詳細に説明する。
【００５５】
＜＜２．紙幣処理装置の構成＞＞
図３は、本発明の実施形態による紙幣処理装置１０の構成を示す説明図である。図３に示したように、紙幣処理装置１０は、入金口シャッタ１３と、出金口シャッタ１６と、搬送部２４と、表示部４０と、操作部４２と、制御部７０と、記憶部８０と、光学センサＳ群とを備える。入金口シャッタ１３、出金口シャッタ１６、搬送部２４、表示部４０および操作部４２については図１および図２を参照して説明した通りである。
【００５６】
制御部７０は、紙幣処理装置１０の動作全般を制御する。記憶部８０は、制御部７０が紙幣処理装置１０の動作を制御するためのプログラム等を記憶する。例えば、制御部７０は、操作部４２に対する職員の操作に従い、上述した入金処理、出金処理、補充処理、回収処理等の基本処理を制御する。具体的には、制御部７０は、基本処理の実行のために、搬送部２４による紙幣の搬送と、入金口シャッタ１３及び出金口シャッタ１６の開閉動作とを制御する。また、制御部７０は、各種画面の表示を制御し、表示部４０に各種画面を表示させる。例えば、制御部７０は、詳細については後述するように、光学センサＳの汚れを警告する警告通知、および出金口１４の清掃用画面の表示などを制御する。また、制御部７０は、光学センサＳの発光電流量を制御する。当該発光電流量の制御について、図４を参照して具体的に説明する。
【００５７】
図４は、光学センサＳの発光電流量の制御を示す説明図である。光学センサＳの汚れが増加すると、光学センサＳの受光量が減少する。このため、出金口１４に紙幣が集積されていない状態での光学センサＳの受光量は、光学センサＳの汚れを示す指標と言える。また、偽遮光を回避するためには、上述したように、光学センサＳの汚れが増加するほど、光学センサＳの発光を強くすることが望ましい。そこで、制御部７０は、出金口１４に紙幣が集積されていない状態での光学センサＳの受光量に基づき、光学センサＳの発光電流量を制御してもよい。
【００５８】
例えば、制御部７０は、図４に示したように、時間の経過と共に光学センサＳの汚れが増加するほど、光学センサＳの発光電流量を増加させてもよい。ここで、本実施形態による制御部７０は、光学センサＳの汚れの程度が第１の程度を上回った場合、すなわち、発光電流量が清掃要レベルに達した場合、職員に清掃を促すための警告通知を制御する。さらに、制御部７０は、光学センサＳの汚れの程度が第２の程度を上回った場合、すなわち、発光電流量が障害レベルに達した場合、紙幣処理装置１０を障害状態に遷移させる。かかる構成によれば、例えば図４に示したように、発光電流量が清掃要レベルに達したタイミングｔで行われた警告通知に基づき、発光電流量が障害レベルに達する前に職員が清掃を行ったことにより、障害状態の発生を回避することが可能である。
【００５９】
なお、上述した制御部７０、および記憶部８０の機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００６０】
（具体的制御）
続いて、光学センサＳの汚れに関して制御部７０が行う制御についてより具体的に説明する。制御部７０は、光学センサＳの発光電流量が清掃要レベルに達した場合、つまり、光学センサＳの汚れが清掃要レベルに達した場合、メニュー画面に警告通知を配置する。かかる構成により、職員は、光学センサＳの清掃の必要性を紙幣処理装置１０が障害状態になる前に把握することができる。
【００６１】
また、制御部７０は、メニュー画面からの所定操作に基づき、各出金口１４の光学センサＳの汚れに関する情報を示す出金口選択画面を生成する。例えば、出金口選択画面は、各出金口１４に対応する表示、および、いずれの出金口１４を清掃するか選択するための出金口選択ボタンを含んでもよい。かかる構成により、職員は、いずれの出金口１４の光学センサＳを清掃すべきかを直感的に把握することができるので、効率的な清掃を実現することができる。ここで、制御部７０は、各出金口１４に対応する表示に、各出金口１４の光学センサＳの汚れの程度に応じた色を付してもよい。各出金口１４に複数の光学センサＳが設けられている場合、制御部７０は、複数の光学センサＳの中で最も汚れの程度が高い光学センサＳの汚れの程度に応じた色を各出金口１４に対応する表示６１に付してもよい。
【００６２】
さらに、制御部７０は、出金口選択画面においていずれかの出金口選択ボタンが選択されると、選択された出金口選択ボタンに応じた出金口シャッタ１６を開く制御を行う。さらに、制御部７０は、選択された出金口選択ボタンに応じた出金口１４の光学センサＳの汚れに関する情報として、光学センサＳの位置および光学センサＳの汚れの程度を示す清掃用画面を生成する。職員は、この清掃用画面を確認することにより、汚れのある光学センサＳを認識できるので、光学センサＳの清掃を効率的に行うことができる。また、出金口選択画面において選択された出金口選択ボタンに応じた出金口シャッタ１６のみが開かれるので、２つの出金口シャッタ１６が同時に開かれる場合と比較し、他方の出金口１４への異物混入を防止することができる。
【００６３】
なお、清掃用画面は、第１のボタンとしてチェックボタンを含み、第２のボタンとしてリターンボタンを含む。制御部７０は、チェックボタンが選択されると、当該選択時の光学センサＳの汚れの程度に基づき、清掃用画面における汚れの程度を示す表示を更新する。また、制御部７０は、リターンボタンが選択されると、出金口選択画面を生成し、出金口シャッタ１６を閉める制御を行う。
【００６４】
上述した制御部７０による制御について、表示画面例を用い、より具体的に説明する。
【００６５】
−汚れの程度が清掃要レベルに達した場合
図５から図９は、光学センサＳの汚れの程度が清掃要レベルに達した場合の表示の遷移具体例を示す。光学センサＳの汚れの程度が清掃要レベルに達した場合、制御部７０は、図５に示したように、警告通知として「Ｓｅｎｓｏｒ  Ｄｉｒｔ」というメッセージをメニュー画面に配置する。制御部７０は、このメニュー画面におけるインフォメーションボタン５２の選択に基づき、図６に示した出金口選択画面を生成する。
【００６６】
出金口選択画面は、２つの出金口１４に対応する表示を含み、各出金口１４に対応する表示には、各出金口１４の光学センサＳの汚れの程度に応じた色が付される。例えば、図６に示したように、出金口１４Ａに対応する表示６１Ａには黄色（図面における斜線領域）の警告マーク６２Ａが付され、出金口１４Ａに対応する表示６１Ａには黄色の警告マーク６２Ａが付される。また、出金口選択画面は、出金口１４Ａの清掃を選択するための出金口選択ボタン６４Ａおよび出金口１４Ｂの清掃を選択するための出金口選択ボタン６４Ｂを含む。
【００６７】
制御部７０は、出金口選択画面において出金口選択ボタン６４Ａが選択されると、出金口シャッタ１６Ａを開く制御を行う。さらに、制御部７０は、図７に示したように、出金口１４Ａの光学センサＳの汚れに関する情報として、光学センサＳの位置および光学センサＳの汚れの程度を示す清掃用画面を生成する。図７においては、汚れの程度が清掃要レベルに達した光学センサＳが２対あり、当該２対の光学センサＳは黄色（図面における斜線領域）で示されており、他の光学センサＳは汚れの程度が清掃要レベル未満であり、当該他の光学センサＳは緑色（図面における無色）で示されている。なお、制御部７０は、職員からの所定操作（例えば、ヘルプボタンの選択）に応じ、清掃方法を案内する表示を生成してもよい。
【００６８】
職員が清掃用画面を見ながら光学センサＳの清掃を終え、図７の清掃用画面においてチェックボタン６８が選択されると、制御部７０は、図８に示すように、清掃用画面における汚れの程度を示す表示、すなわち、各光学センサＳに付される色を更新する。図８に示したように、例えば、全ての光学センサＳの汚れの程度が清掃要レベル未満となり、全ての光学センサＳが緑色（図面における無色）で示される。このような更新により、職員は、光学センサＳを十分清掃できたことを確認することができる。
【００６９】
そして、職員により図８の清掃用画面においてリターンボタン６６が選択されると、制御部７０は、出金口シャッタ１６Ａを閉じる制御を行う。また、制御部７０は、図９に示したように、出金口選択画面を生成する。ここで、出金口１４Ａの光学センサＳは清掃されたので、出金口選択画面の出金口１４Ａを示す表示６１Ａからは警告マーク６２Ａが削除されている。職員は、当該出金口選択画面から出金口選択ボタン６４Ｂを選択することにより、出金口１４Ａの光学センサＳと同様に出金口１４Ｂの光学センサＳを清掃することができる。
【００７０】
−汚れの程度が障害レベルに達した場合
図１０から図１２は、光学センサＳの汚れの程度が障害レベルに達した場合の表示の遷移具体例を示す。光学センサＳの汚れの程度が障害レベルに達した場合、紙幣処理装置１０は障害状態となる。紙幣処理装置１０が障害状態であると、制御部７０は、図１０に示したように、障害の復旧を誘導する例えば「Ｐｌｅａｓｅ  Ｒｅｓｅｔ」というメッセージを含む障害通知画面を生成する。
【００７１】
障害通知画面において保守員により所定操作が行われると、制御部７０は、図１１に示したように出金口選択画面を生成する。出金口選択画面は、２つの出金口１４に対応する表示６１を含み、出金口１４Ａに対応する表示６１Ａには赤色（図面における濃いドット領域）の障害マーク６３Ａが付されている。この出金口選択画面により、保守員は、出金口１４Ａの光学センサＳについて障害が発生していることを認識できる。
【００７２】
制御部７０は、図１１の出金口選択画面において出金口選択ボタン６４Ａが選択されると、出金口シャッタ１６Ａを開く制御を行う。さらに、制御部７０は、図１２に示したように、出金口１４Ａの光学センサＳの汚れに関する情報として、光学センサＳの位置および光学センサＳの汚れの程度を示す清掃用画面を生成する。図１２においては、汚れの程度が障害レベルに達した光学センサＳが３対あり、当該３対の光学センサＳは赤色（図面における濃いドット領域）で示されており、他の光学センサＳは汚れの程度が清掃要レベル未満であり、当該他の光学センサＳは緑色（図面における無色）で示されている。保守員は、この清掃用画面を見ることで、出金口１４Ａの光学センサＳを効率的に清掃することが可能である。
【００７３】
＜＜３．紙幣処理装置の動作＞＞
以上、本発明の実施形態による紙幣処理装置１０の構成を説明した。続いて、図１３および図１４を参照し、本発明の実施形態による紙幣処理装置１０の動作を整理する。
【００７４】
図１３および図１４は、本発明の実施形態による紙幣処理装置１０の動作を示すフローチャートである。まず、図１３に示したように、制御部７０は、メニュー画面を表示部４０に表示させる（Ｓ２０４）。そして、汚れの程度が清掃要レベルに達した光学センサがある場合（Ｓ２０８／ｙｅｓ）、制御部７０は、メニュー画面に警告通知を表示する（Ｓ２１２）。
【００７５】
その後、職員により清掃開始のための所定操作が行われると（Ｓ２１６／ｙｅｓ）、制御部７０は、出金口選択画面を表示部４０に表示させる（Ｓ２２０）。さらに、出金口１４の選択操作があった場合、すなわち、出金口選択画面において出金口選択ボタン６４が選択された場合（Ｓ２２４／ｙｅｓ）、制御部７０は、選択された出金口１４の出金口シャッタ１６を開く制御を行い（Ｓ２２８）、清掃用画面を表示部４０に表示させる（Ｓ２３２）。
【００７６】
そして、図１４に示したように当該清掃用画面においてチェックボタン６８が選択されると（Ｓ２３６／ｙｅｓ）、制御部７０は、清掃用画面における汚れの程度を示す表示を更新する（Ｓ２４０）。また、清掃用画面においてリターンボタンが選択されると（Ｓ２４４／ｙｅｓ）、制御部７０は、出金口選択画面を生成し（Ｓ２４８）、出金口シャッタ１６を閉める制御を行う（Ｓ２５２）。
【００７７】
＜＜４．むすび＞＞
以上説明したように、本発明の実施形態による紙幣処理装置１０は、メニュー画面からの所定操作に基づき、各出金口１４の光学センサＳの汚れに関する情報を示す出金口選択画面を生成する。かかる構成により、職員は、いずれの出金口１４の光学センサＳを清掃すべきかを直感的に把握することができるので、効率的な清掃を実現することができる。さらに、本発明の実施形態による紙幣処理装置１０は、出金口選択画面においていずれかの出金口選択ボタンが選択されると、選択された出金口選択ボタンに応じた出金口シャッタ１６を開く制御を行う。かかる構成により、２つの出金口シャッタ１６が同時に開かれる場合と比較し、他方の出金口１４への異物混入を防止することができる。
【００７８】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７９】
例えば、本明細書の紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【００８０】
また、紙幣処理装置１０に内蔵されるＣＰＵ、ＲＯＭおよびＲＡＭなどのハードウェアに、上述した紙幣処理装置１０の各構成と同等の機能を発揮させるためのコンピュータプログラムも作成可能である。また、該コンピュータプログラムを記憶させた記憶媒体も提供される。
【符号の説明】
【００８１】
１０  紙幣処理装置
１２  入金口
１３  入金口シャッタ
１４  出金口
１６  出金口シャッタ
２０  紙幣認識部
２２  一時保留部
２４  搬送部
３０  紙幣カセット
３６  紙幣収納庫
３７  リジェクト庫
４０  表示部
４２  操作部
７０  制御部
８０  記憶部
【図１】
0006520572.tif 000002
【図２】
0006520572.tif 000003
【図３】
0006520572.tif 000004
【図４】
0006520572.tif 000005
【図５】
0006520572.tif 000006
【図６】
0006520572.tif 000007
【図７】
0006520572.tif 000008
【図８】
0006520572.tif 000009
【図９】
0006520572.tif 000010
【図１０】
0006520572.tif 000011
【図１１】
0006520572.tif 000012
【図１２】
0006520572.tif 000013
【図１３】
0006520572.tif 000014
【図１４】
0006520572.tif 000015